(57)【要約】【課題】安全性を確保しつつ、不要なコストアップや付け替え作業が発生し難い入浴装置を提供する。【解決手段】入浴装置は、担架１３と、担架１３を複数の方向から載せることが可能な担架台１１と、を備える。担架１３と担架台１１とのうち、いずれか一方には、当接部１４が設けられ、他方には、担架１３の担架台１１への進入方向に応じて当接部１４に対する動きを切り換えて、担架１３の前記進入方向への移動を所定の位置で規制する切換機能付き規制部１７が設けられる。【選択図】図６
2016083033.tif 000002
【特許請求の範囲】
【請求項１】
担架と、
前記担架を複数の方向から載せることが可能な担架台と、
を備える入浴装置であって、
前記担架と前記担架台とのうち、
いずれか一方には、当接部が設けられ、
他方には、前記担架の前記担架台への進入方向に応じて前記当接部に対する動きを切り換えて、前記担架の前記進入方向への移動を所定の位置で規制する切換機能付き規制部が設けられることを特徴とする入浴装置。
【請求項２】
前記切換機能付き規制部は、前記進入方向に応じて前記当接部に対する動きを切り換える複数のアームを有し、
前記進入方向に応じて、前記複数のアームのいずれか一つが前記当接部に引っ掛かって前記担架の前記進入方向への移動を前記所定の位置で規制することを特徴とする請求項１に記載の入浴装置。
【請求項３】
前記担架台は、第１の方向と、前記第１の方向の反対方向である第２の方向とから前記担架を載せることが可能に設けられ、
前記複数のアームには、
前記担架が前記第１の方向から進入する場合に前記当接部に押圧されて回動し、前記担架が前記第２の方向から進入する場合に前記当接部に引っ掛かる第１のアームと、
前記担架が前記第１の方向から進入する場合に前記当接部に引っ掛かり、前記担架が前記第２の方向から進入する場合に前記当接部に押圧されて回動する第２のアームと、
が含まれることを特徴とする請求項２に記載の入浴装置。
【請求項４】
前記第１のアームと前記第２のアームとは、同一の支軸に回動可能に取り付けられると共に、前記支軸に沿って平面視した場合に線対称に配置されていることを特徴とする請求項３に記載の入浴装置。
【請求項５】
前記当接部は、前記担架台の前記第１の方向の中央部に設けられ、
前記切換機能付き規制部は、前記担架の前記第１の方向の中央部に設けられることを特徴とする請求項３又は４に記載の入浴装置。
【請求項６】
前記担架台に載せられた前記担架上の入浴者を湯に浸からせる浴槽を更に備え、
前記第１の方向は、前記浴槽の短手方向に平行な方向であることを特徴とする請求項３から５のいずれかに１項に記載の入浴装置。
【発明の詳細な説明】
【技術分野】
【０００１】
本発明は、病人、老人、身体障害者等の介助が必要な者（要介助者）を入浴させるのに好適な入浴装置に関する。
【背景技術】
【０００２】
従来、病人や寝たきりの老人等を仰臥位で入浴させる入浴装置が知られている（例えば特許文献１等参照）。図７は、従来の仰臥位入浴用の入浴装置１００の構成を示す概略上面図である。図７に示すように、仰臥位入浴用の入浴装置１００は、基台に立設される支柱（いずれも不図示）に支持される担架台１１と、担架台１１に対して昇降する浴槽１２とを備えている。担架台１１は、上面視した場合に、浴槽１２の長手方向と平行な方向が長い略長方形状に設けられている。浴槽１２の昇降には、例えば油圧シリンダーとＸリンクとを組み合わせた機構等が利用される。
【０００３】
入浴装置１００においては、浴槽１２の長手方向の一側面に横付けされたストレッチャー２００から担架１３を担架台１１に移動し、湯が溜められた浴槽１２を上昇させることによって、担架１３に載った要介助者（入浴者）を仰臥位で入浴させることができる。また、浴槽１２を下降させた状態で、担架台１１からストレッチャー２００上に担架１３を移動することによって、要介助者は出浴できる。
【０００４】
なお、担架台１１上には、浴槽１２の長手方向に離間配置され、前記長手方向と直交する方向に延在する一対のレール１１１ａ、１１１ｂが設けられている。また、担架１３の下面には、レール１１１ａ、１１１ｂに係合するローラー（不図示）が設けられている。更に、ストレッチャー２００上にも、担架台１１と同様のレール（不図示）が設けられている。
【先行技術文献】
【特許文献】
【０００５】
【特許文献１】特開２００６−３４０９５５号公報
【発明の概要】
【発明が解決しようとする課題】
【０００６】
例えば、ストレッチャー２００から担架台１１に担架１３を移動する場合等に、担架１３が浴槽１２の反対側の側面から落下するおそれがある。このような危険を回避するために、従来の入浴装置１００においては、担架台１１の短手方向（浴槽１２の短手方向と平行な方向）の中央部にブロック１４が設けられている（図７参照）。また、担架１３の下面には、図８に示すように、通り抜け防止金具１５が取り付けられている。なお、図８は、図７のＢ−Ｂ位置における概略断面図である。図８においては、担架フレーム１３１上に配置される担架マットは省略されている。
【０００７】
通り抜け防止金具１５は、担架１３の短手方向（図８の左右方向が該当）に延在して担架フレーム１３１の下面にネジ止めにて固定される支持台部１５１と、支持台部１５１から下方に突出すると共に担架１３の短手方向の中心位置から少しずれた位置に配置される突片１５２と、を備えている。
【０００８】
図９は、従来の入浴装置１００が備える通り抜け防止金具１５の作用を説明するための概略図である。図９（ａ）は、ストレッチャー２００から担架１３が担架台１１に移動される途中の状態を示す。図９（ｂ）は、図９（ａ）の状態から更に担架１３が担架台１１に向けて押し込まれた状態を示す。なお、図９は、担架１３を頭部が配置される側から見た図である。図９（ｂ）に示すように、担架１３の下部側に設けられる突片１５２と、担架台１１上に設けられるブロック１４とが当接することによって、担架１３の動き（矢印Ｘ方向への動き）が規制されて担架１３の落下が防止される。
【０００９】
ところで、入浴装置１００は、図１０に示すように、担架１３を図７に示す場合と反対側の側面から担架台１１に移動することも可能に設けられている。反対側の側面から担架１３を担架台１１に移動する場合には、図１１に示すように、通り抜け防止金具１５を図８に示す状態から１８０°回転して担架フレーム１３１に取り付ける必要がある。
【００１０】
このため、従来においては、２種類の担架１３を予め用意しておくか、或いは、入浴装置１００の納品時に、サービスマン等が必要に応じて通り抜け防止金具１５の付け替えを行う必要があった。
【００１１】
以上の点に鑑みて、本発明の目的は、安全性を確保しつつ、不要なコストアップや付け替え作業が発生し難い入浴装置を提供することである。
【課題を解決するための手段】
【００１２】
上記目的を達成するために本発明の入浴装置は、担架と、前記担架を複数の方向から載せることが可能な担架台と、を備える入浴装置であって、前記担架と前記担架台とのうち、いずれか一方には、当接部が設けられ、他方には、前記担架の前記担架台への進入方向に応じて前記当接部に対する動きを切り換えて、前記担架の前記進入方向への移動を所定の位置で規制する切換機能付き規制部が設けられる構成（第１の構成）になっている。
【００１３】
本構成によれば、担架が進入可能ないずれの位置から進入する場合においても、切換機能付き規制部によって担架の移動を所定の位置（例えな進入方向の中央部等）で規制して、担架が担架台を通り抜けてしまうことを防止できる。このため、本構成の入浴装置は安全である。また、切換機能付き規制部は、担架台の進入方向に応じて当接部に対する動きを切り換えるために、上述したサービスマンによる付け替え作業の発生や、担架の種類を増やす（コストアップの原因となる）といった事態を避けられる。
【００１４】
上記第１の構成の入浴装置において、前記切換機能付き規制部は、前記進入方向に応じて前記当接部に対する動きを切り換える複数のアームを有し、前記進入方向に応じて、前記複数のアームのいずれか一つが前記当接部に引っ掛かって前記担架の前記進入方向への移動を前記所定の位置で規制する構成（第２の構成）であるのが好ましい。本構成によれば、比較的狭いスペースに切換機能付き規制部を設けることが可能である。
【００１５】
上記第２の構成の入浴装置において、前記担架台は、第１の方向と、前記第１の方向の反対方向である第２の方向とから前記担架を載せることが可能に設けられ、前記複数のアームには、前記担架が前記第１の方向から進入する場合に前記当接部に押圧されて回動し、前記担架が前記第２の方向から進入する場合に前記当接部に引っ掛かる第１のアームと、前記担架が前記第１の方向から進入する場合に前記当接部に引っ掛かり、前記担架が前記第２の方向から進入する場合に前記当接部に押圧されて回動する第２のアームと、が含まれる構成（第３の構成）であってよい。
【００１６】
上記第３の構成の入浴装置において、前記第１のアームと前記第２のアームとは、同一の支軸に回動可能に取り付けられると共に、前記支軸に沿って平面視した場合に線対称に配置されている構成（第４の構成）であってよい。本構成によれば、２つのアームについて部品の共有化を図れる。
【００１７】
上記第３又は第４の構成の入浴装置において、前記当接部は、前記担架台の前記第１の方向の中央部に設けられ、前記切換機能付き規制部は、前記担架の前記第１の方向の中央部に設けられる構成（第５の構成）であってよい。本構成によれば、担架台の上面が複雑な構造になることを避けられる。
【００１８】
上記第１から第５のいずれかの構成の入浴装置は、前記担架台に載せられた前記担架上の入浴者を湯に浸からせる浴槽を更に備え、前記第１の方向は、前記浴槽の短手方向に平行な方向である構成（第６の構成）であってよい。
【発明の効果】
【００１９】
本発明によれば、安全性を確保しつつ、不要なコストアップや付け替え作業が発生し難い入浴装置を提供できる。
【図面の簡単な説明】
【００２０】
【図１】本実施形態に係る入浴装置が備える担架台の構成を示す概略上面図
【図２】本実施形態に係る入浴装置が備える担架を斜め下方から見た場合の概略図
【図３】本実施形態に係る担架が備える規制部の構成を示す概略側面図
【図４】本実施形態に係る担架が備える規制部の構成を示す概略上面図
【図５】図４のＡ−Ａ位置における概略断面図
【図６】本実施形態の担架が備える規制部の作用を説明するための概略平面図
【図７】従来の仰臥位入浴用の入浴装置の構成を示す概略上面図
【図８】図７のＢ−Ｂ位置における概略断面図
【図９】従来の入浴装置が備える通り抜け防止金具の作用を説明するための概略図
【図１０】従来の仰臥位入浴用の入浴装置の構成を説明するための概略上面図
【図１１】従来の入浴装置における課題を説明するための概略図
【発明を実施するための形態】
【００２１】
以下、本発明の実施形態に係る入浴装置について、図面を参照しながら詳細に説明する。本実施形態の入浴装置の構成は、上述した従来の入浴装置１００の構成と概ね同様である。すなわち、本実施形態の入浴装置は、仰臥位用の入浴装置であり、左右の側面（長手方向の側面）においてストレッチャーとの間で担架のやり取りを行える。以下、従来の入浴装置１００と重複する部分については同一の符号を付し、特に説明の必要がない場合にはその説明を省略する。
【００２２】
図１は、本実施形態に係る入浴装置が備える担架台１１の構成を示す概略上面図である。担架台１１上には、従来の入浴装置１００と同様に、一対のレール１１１ａ、１１１ｂや、担架１３（図７参照）の通り抜けによる転落を防止するためのブロック１４が設けられている。
【００２３】
入浴者を載せた担架１３は、図１におけるＸ方向とＹ方向とから担架台１１に向けて進入させて担架台１１に載せることができる。Ｘ方向及びＹ方向は、浴槽１２の短手方向（図７における上下方向）に平行な方向である。Ｘ方向は本発明の第１の方向の一例であり、Ｙ方向は本発明の第２の方向の一例である。ブロック１４は、担架台１１のＸ方向（Ｙ方向）の中央部に配置されている。ブロック１４は、本発明の当接部の一例である。
【００２４】
なお、本実施形態においては、担架台１１上には、担架１３に設けられる機構（後述の図２に符号２０で示す部分）と対になって、担架台１１に載った担架１３を固定（ロック）する部材１６が設けられている。担架１３の担架台１１へのロックは、レバー（不図示）によって解除できる。このロック機構は、設けられるのが好ましいが、場合によっては設けられなくても構わない。
【００２５】
図２は、本実施形態に係る入浴装置が備える担架１３を斜め下方から見た場合の概略図である。図２に示すように、担架１３の下面には、担架台１１に設けられるブロック１４と対になって働く切換機能付きの規制部１７（以下、単に規制部１７と表現する）が設けられている。規制部１７は、担架１３の短手方向の中央部に配置されている。規制部１７は、担架１３の担架台１１の進入方向に応じてブロック１４に対する動きを切り換えて、担架１３の進入方向への移動を所定の位置で規制する。以下、規制部１７の詳細構成について説明する。
【００２６】
図３は、本実施形態に係る担架１３が備える規制部１７の構成を示す概略側面図である。なお、図３は、担架１３の頭部が載せられる側から担架１３の長手方向に沿って規制部１７を見た場合の図である。図４は、本実施形態に係る担架１３が備える規制部１７の構成を示す概略上面図である。なお、図４では、規制部１７の上面部分があたかも透明であるように描かれている。図５は、図４のＡ−Ａ位置における概略断面図である。
【００２７】
図２から図５に示すように、規制部１７は、側面視略逆Ｕ字状の支持フレーム１７１を備えている。なお、ここでは、図３とは９０°ずれた方向から見た場合の側面形状について言及している。また、図４では、支持フレーム１７１の天板があたかも透明であるように描かれている。支持フレーム１７１は、担架１３を構成する担架フレーム１３１にネジ止め等によって固定される。支持フレーム１７１の内部には、図４に示すように、支持フレーム１７１の長手方向の一端部から中央部付近まで延在する支持片１７２が設けられている。
【００２８】
支持フレーム１７１の一側面には、支軸１７３の一端部が固定されている。支軸１７３の他端部は、支持片１７２に固定されている。すなわち、支軸１７３は、支持フレーム１７１の一側面と支持片１７２とを橋渡しするように支持フレーム１７１に取り付けられている。支軸１７３は、支持フレーム１７１が担架フレーム１３１に取り付けられた状態において、担架１３の短手方向の中央部に位置する。
【００２９】
支軸１７３には、第１のアーム１７４と第２のアーム１７５とが回動可能に取り付けられている。第１のアーム１７４と第２のアーム１７５とは同一の部材で構成されている。第１のアーム１７４と第２のアーム１７５とは、支軸１７３に沿って見た場合に線対称に配置されている（図３及び図５参照）。
【００３０】
支持フレーム１７１の支軸１７３が固定される一側面には、第１のストッパー部材１７６を支持する支持ネジ１７８が固定されている。第１のストッパー部材１７６は、第１のアーム１７４の一部の回動を規制する。また、支持片１７２には、第２のストッパー部材１７７を支持する支持ネジ１７８が固定されている。第２のストッパー部材１７７は、第２のアーム１７５の一部の回動を規制する。
【００３１】
第１のアーム１７４及び第２のアーム１７５は、それぞれ、別々の引っ張りバネ１７９によって、互いに反対方向に回動するように付勢されている。図３において、第１のアーム１７４は、引っ張りバネ１７９によって時計回り方向に回動するように付勢されている。また、図３において、第２のアーム１７５は、引っ張りバネ１７９によって反時計回り方向に回動するように付勢されている。引っ張りバネ１７９の付勢力にもかかわらず、第１のアーム１７４は第１のストッパー部材１７６との当接することによって回動が止められ、第２のアーム１７５は第２のストッパー部材１７７との当接することによって回動が止められている。
【００３２】
次に、図６を参照して規制部１７の作用について説明する。なお、図６は、本実施形態の担架１３が備える規制部１７の作用を説明するための概略平面図で、規制部１７周辺を拡大して示した図である。図６は、ストレッチャー２００に載った担架１３が、浴槽１２の一側面から担架台１１に向けて進入する様子を時系列で示している。なお、図６は、図７に示す担架１３が担架台１１に移動する場合と同じ状態を想定した図であり、担架１３の頭側から規制部１７を見た場合を想定した図である。
【００３３】
担架１３が担架台１１に向けて押し込まれると（Ｘ方向に動かされると）、担架１３に設けられる規制部１７が、担架台１１上に設けられるブロック１４に近づく（図６（ａ））。更に、担架１３をＸ方向に動かすと、第２のアーム１７５がブロック１４に当接する。第２のアーム１７５がブロック１４に当接した状態で更に担架１３をＸ方向に動かすと、図６（ｂ）に示すように、第２のアーム１７５はブロック１４に押されて回動を開始する。なお、この回動は、引っ張りバネ１７９の付勢力に反する方向への回動である。
【００３４】
第２のアーム１７５が回動を開始した状態で更に担架１３をＸ方向に動かすと、図６（ｃ）に示すように、第２のアーム１７５がブロック１４に押圧されて更に回動すると共に、第１のアーム１７４がブロック１４に当接する。この状態で更に担架１３をＸ方向に動かそうとしても、第１のアーム１７４の回動が第１のストッパー部材１７６によって阻止されるために、第１のアーム１７４がブロック１４に引っ掛かって担架１３をＸ方向に動かせない。すなわち、担架１３をこれ以上押し込むことができず、担架１３が担架台１１を通り抜けて転落することを防止できる。
【００３５】
なお、第１のアーム１７４がブロック１４に引っ掛かった状態においては、担架１３の短手方向の中心位置と、担架台１１（浴槽１２）の短手方向の中心位置がほぼ一致する（完全一致でも、両者の間に多少の位置ずれが生じても構わない）。また、担架１３を担架台１１からストレッチャー２００に向けて引き出すと、引っ張りバネ１７９の作用によって、第２のアーム１７５は、元の位置（図６（ａ）に示す状態）に戻る。
【００３６】
また、上述のように、本実施形態においては、担架１３は、図７に示す場合と反対方向（Ｙ方向）から担架台１１に進入できる（図１０参照）。反対側から担架１３が担架台１１に進入した場合には、図６に示す場合とは逆に、第１のアーム１７４はブロック１４に押圧されて回動し、第２のアーム１７５がブロック１４に引っ掛かる。第２のアーム１７５がブロック１４に引っ掛かった状態においては、担架１３の短手方向の中心位置と、担架台１１（浴槽１２）の短手方向の中心位置がほぼ一致し、これ以上、担架１３を押し込むことはできない。すなわち、反対側から担架１３が担架台１１に進入した場合においても、担架１３が担架台１１を通り抜けて転落することを防止できる。
【００３７】
以上からわかるように、本実施形態の入浴装置においては、担架１３の進入方向としてＸ方向とＹ方向（図１参照）とのいずれが採用される場合でも、担架１３が担架台１１を通り抜けて転落することを防止できる。そして、本実施形態の入浴装置では、担架の種類を変更したり、金具の付け替え作業を行なったりすることなく、複数方向からの担架１３の進入のいずれに対しても、前述の転落防止効果を発揮できる。このために、本実施形態の入浴装置は非常に便利である。また、担架１３を誤って反対側から引き出そうとしても引き出させないので安全である。
【００３８】
以上に示した実施形態は、本発明の例示にすぎない。以上に示した実施形態の構成は、本発明の技術的思想を超えない範囲で適宜変更されて構わない。
【００３９】
例えば、以上に示した実施形態では、担架台１１にブロック１４が設けられ、担架１３に切換機能付き規制部１７が設けられる構成とした。しかし、これは一例にすぎず、担架台１１に切換機能付き規制部１７が設けられて、担架１３にブロック１４が設けられる構成にしてもよい。
【００４０】
また、以上に示した実施形態では、担架台１１（浴槽１２）の短手方向の中央部にブロック１４を配置し、担架１３の短手方向の中央部に切換機能付き規制部１７を配置する構成とした。しかし、これに限定されず、場合によっては、ブロック１４や切換機能付き規制部１７が上記短手方向の中央部からずれた位置に配置されてもよい。
【００４１】
また、ブロック１４は、ストレッチャー２００側にも設けられてよい。これにより、ストレッチャー２００においても転落防止を図れる。また、以上に示した実施形態では、浴槽１２が担架台１１に対して昇降する構成としたが、担架台１１が浴槽１２に対して昇降する構成の入浴装置に対しても、本発明は適用可能である。
【符号の説明】
【００４２】
１１    担架台
１２    浴槽
１３    担架
１４    ブロック（当接部）
１７    切換機能付き規制部
１７３  支軸
１７４  第１のアーム
１７５  第２のアーム
【図１】
2016083033.tif 000003
【図２】
2016083033.tif 000004
【図３】
2016083033.tif 000005
【図４】
2016083033.tif 000006
【図５】
2016083033.tif 000007
【図６】
2016083033.tif 000008
【図７】
2016083033.tif 000009
【図８】
2016083033.tif 000010
【図９】
2016083033.tif 000011
【図１０】
2016083033.tif 000012
【図１１】
2016083033.tif 000013